(57)【要約】【課題】  柱間に、互いに平行となるように架け渡された複数の梁を強固かつ容易に接合することのできる柱梁の接合構造を提供する。【解決手段】  柱１及び梁２は、内部に中空部１a，…、２a，…を有している。柱１、１間に、互いに平行となるように複数の梁２、２が架け渡され、複数の梁２、２と柱１とが接合されてなる柱梁の接合構造は、柱１の梁２、２が設けられる側面１bには、該側面１bから突出する突出部１３、１３を有する柱用接合金具１１が設けられ、梁２の端部のうち他の梁２と互いに対向する側面２cには、該側面２cから突出する突出部２３Ａ、２３Ｂを有する梁用接合金具２１が設けられている。そして、柱用接合金具１１の突出部１３、１３に対して、梁用接合金具２１、２１の突出部２３Ａ、２３Ａ、２３Ｂ、２３Ｂが重なり合い、突出部１３、１３、２３Ａ、２３Ａ、２３Ｂ、２３Ｂが止着材Ｂ、Ｎにより止着されている。【選択図】        図３
2005030120.tif 000002
【特許請求の範囲】
【請求項１】
柱間に、互いに平行となるように複数の梁が架け渡され、これら複数の梁と前記柱とが接合されてなる柱梁の接合構造であって、
前記柱及び梁は、内部に中空部を有し、
前記柱の前記梁が設けられる側面には、該側面から突出する突出部を有する柱用接合金具が設けられ、
前記梁の端部のうち他の梁と互いに対向する側面には、該側面から突出する突出部を有する梁用接合金具が設けられており、
前記柱用接合金具の突出部に対して、梁用接合金具の突出部が重なり合い、これら突出部が止着材により止着されていることを特徴とする柱梁の接合構造。
【請求項２】
請求項１に記載の柱梁の接合構造において、
前記柱用接合金具及び前記梁用接合金具は、前記柱の側面及び前記梁の側面に取り付けられる取付部と、該取付部に対して垂直に突出し互いに離間して設けられた複数の前記突出部とを備えていることを特徴とする柱梁の接合構造。
【請求項３】
請求項１又は２に記載の柱梁の接合構造において、
前記梁の端部を除く側面のうち互いに対向する梁の側面には、それぞれ前記梁用接合金具が設けられており、
一方の梁用接合金具の突出部と他方の梁用接合金具の突出部とが重なり合い、これら突出部が止着材により止着されていることを特徴とする柱梁の接合構造。
【請求項４】
請求項１〜３のいずれか一項に記載の柱梁の接合構造において、
前記止着材には、該止着材を覆うカバー部材が設けられていることを特徴とする柱梁の接合構造。
【請求項５】
請求項１〜４のいずれか一項に記載の柱梁の接合構造において、
前記柱及び前記梁は、セルロース系微粉粒と樹脂とを混合して押出成形してなることを特徴とする柱梁の接合構造。
【発明の詳細な説明】
【技術分野】
【０００１】
本発明は、柱間に、互いに平行となるように複数の梁が架け渡され、これら複数の梁と前記柱とが接合されてなる柱梁の接合構造に関する。
【背景技術】
【０００２】
従来より、建築物の屋外の庭や公園に設置されるデッキ等の床部に取り付けられるフェンスの構造として、一般に、木製や金属製の棒材や帯板を格子状に接合して網状の長方形のフェンスを形成し、適宜間隔で床部に立設した支柱間にフェンスを配置して、フェンスの両側部を支柱の取付部に係合固定している。
【０００３】
特に、支柱とフェンスとの固定に関しては、フェンスの両側部に水平方向に突出する突出部を設け、支柱の側面に形成された孔にスリットナットを水平に打ち込み、このスリットナットのネジ孔にビス等を螺合させることによって、ブラケットを支柱に固定する。そして、ブラケットの載置部にフェンスの突出部を載置し、ボルトにより止着することでフェンスを支柱に固定することが知られている（特許文献１参照）。
【０００４】
一方、デザイン上、上記フェンス部材を設けずに、デッキ等の床部に複数の支柱を立設し、支柱間の上部において互いに平行となるように複数の梁を架け渡す場合がある。
【特許文献１】特開２００１−１２３７０７号公報
【発明の開示】
【発明が解決しようとする課題】
【０００５】
しかしながら、上述のように支柱間の上部に、互いに平行となるように複数の梁を架け渡す構造とした場合に、支柱と複数の平行梁とを接合するためには部品点数が多くなり、接合部分の構造が複雑で、作業が煩雑になるという問題がある。
【０００６】
本発明は、上記事情に鑑みてなされたもので、柱間に、互いに平行となるように架け渡された複数の梁を強固かつ容易に接合することのできる柱梁の接合構造を提供することを課題としている。
【課題を解決するための手段】
【０００７】
上記課題を解決するために、請求項１の発明は、例えば、図１〜図３に示すように、柱１、１間に、互いに平行となるように複数の梁２、２が架け渡され、これら複数の梁２、２と前記柱１とが接合されてなる柱梁の接合構造であって、
前記柱１及び梁２は、内部に中空部１a，…、２a，…を有し、
前記柱１の前記梁２、２が設けられる側面１bには、該側面１bから突出する突出部（例えば、突出片１３、１３）を有する柱用接合金具１１が設けられ、
前記梁２の端部のうち他の梁２と互いに対向する側面２cには、該側面２cから突出する突出部（例えば、突出片２３Ａ、２３Ｂ）を有する梁用接合金具２１が設けられており、
前記柱用接合金具１１の突出部１３、１３に対して、梁用接合金具２１、２１の突出部２３Ａ、２３Ａ、２３Ｂ、２３Ｂが重なり合い、これら突出部１３、１３、２３Ａ、２３Ａ、２３Ｂ、２３Ｂが止着材（例えば、ビスＢ、ナットＮ）により止着されていることを特徴とする。
【０００８】
請求項１の発明によれば、柱１及び梁２、２に各接合金具１１、２１、２１を取り付けて、突出部１３、１３、２３Ａ、２３Ａ、２３Ｂ、２３Ｂを互いに重ね合わせ、さらに、これら突出部１３、１３、２３Ａ、２３Ａ、２３Ｂ、２３Ｂを止着材Ｂ、Ｎにより止着することによって、柱１、１間に互いに平行となるように架け渡された複数の梁２、２を容易かつ強固に固定することができる。しかも、
複数の突出部１３、１３、２３Ａ、２３Ａ、２３Ｂ、２３Ｂが互いに重ね合わされていることから、シンプルな接合構造となり見栄えにも優れる。
【０００９】
請求項２の発明は、例えば、図２(a)及び図３に示すように、請求項１に記載の柱梁の接合構造において、
前記柱用接合金具１１及び前記梁用接合金具２１は、前記柱１の側面１b及び前記梁２の側面２bに取り付けられる取付部１２、２２と、該取付部１２、２２に対して垂直に突出し互いに離間して設けられた複数の前記突出部（例えば、突出片１３、１３、２３Ａ、２３Ｂ）とを備えていることを特徴とする。
【００１０】
請求項２の発明によれば、柱用接合金具１１及び梁用接合金具２１は、取付部１２、２２と複数の突出部１３、１３、２３Ａ、２３Ｂとを備えているので、これら接合金具１１、２１の構造も単純で、施工が容易である。
【００１１】
請求項３の発明は、例えば、図２(b)及び図３に示すように、請求項１又は２に記載の柱梁の接合構造において、
前記梁２、２の端部を除く側面のうち互いに対向する梁２、２の側面２c、２cには、それぞれ前記梁用接合金具（例えば、中間部梁用接合金具２４、２４）が設けられており、
一方の梁用接合金具２４の突出部２６Ａ、２６Ｂと他方の梁用接合金具２１の突出部２６Ａ、２６Ｂとが重なり合い、これら突出部２６Ａ、２６Ａ、２６Ｂ、２６Ｂが止着材（例えば、ビスＢ、ナットＮ）により止着されていることを特徴とする。
【００１２】
請求項３の発明によれば、梁２、２の端部を除く側面のうち互いに対向する梁２、２の側面２c、２cに梁用接合金具２４、２４を取り付けて、突出部２６Ａ、２６Ａ、２６Ｂ、２６Ｂを互いに重ね合わせ、さらに、これら突出部２６Ａ、２６Ａ、２６Ｂ、２６Ｂを止着材Ｂ、Ｎにより止着することによって、互いに平行となる梁２、２どうしを強固かつ容易に固定することができる。しかも、複数の突出部２６Ａ、２６Ａ、２６Ｂ、２６Ｂが互いに重ね合わされていることから、シンプルな接合構造となり見栄えにも優れる。
【００１３】
請求項４の発明は、例えば、図４及び図５に示すように、請求項１〜３のいずれか一項に記載の柱梁の接合構造において、
前記止着材Ｂには、該止着材Ｂを覆うカバー部材（例えば、端部カバー部材５、中間部カバー部材６）が設けられていることを特徴とする。
【００１４】
請求項４の発明によれば、止着材Ｂにはカバー部材５、６が設けられているので、カバー部材５、６によって止着材Ｂを外側から見えないように隠すことができ、外観上優れる。
【００１５】
請求項５の発明は、例えば、図１及び図２に示すように、請求項１〜４のいずれか一項に記載の柱梁の接合構造において、
前記柱１及び前記梁２は、セルロース系微粉粒と樹脂とを混合して押出成形してなることを特徴とする。
【００１６】
請求項５の発明によれば、柱１及び梁２は、セルロース系微粉粒と樹脂とを混合して押出成形してなるので、柱１及び梁２の表面に木粉があらわれて天然の木材により近い手触りや風合いを出すことができ、木質感のある柱１及び梁２とすることができる。
【発明の効果】
【００１７】
請求項１の発明によれば、柱間に互いに平行となるように架け渡された複数の梁を容易かつ強固に固定することができる。また、シンプルな接合構造となり見栄えにも優れる。
【００１８】
請求項２の発明によれば、請求項１と同様の効果を得ることができるのは勿論のこと、柱接合金具及び梁接合金具の構造も単純で、施工が容易である。
【００１９】
請求項３の発明によれば、請求項１又は２と同様の効果を得ることができるのは勿論のこと、互いに平行となる梁どうしを強固かつ容易に固定することができる。また、シンプルな接合構造となり見栄えにも優れる。
【００２０】
請求項４の発明によれば、請求項１〜３のいずれかと同様の効果を得ることができるのは勿論のこと、カバー部材によって止着材を外側から見えないように隠すことができ、外観上優れる。
【００２１】
請求項５の発明によれば、請求項１〜４のいずれかと同様の効果を得ることができるのは勿論のこと、柱及び梁の表面に木粉があらわれて天然の木材により近い手触りや風合いを出すことができ、木質感のある柱及び梁とすることができる。
【発明を実施するための最良の形態】
【００２２】
以下、本発明の実施の形態を図面に基づいて説明する。
【００２３】
図１(a)は、本発明に係る柱梁の接合構造を示した側面図、(b)は、(a)における平面図、図２(a)は、柱と梁の端部との接合構造を示した側断面図、(b)は、梁の中間部どうしの接合構造を示した側断面図、図３は、柱と梁とを接合する様子を示す斜視図、図４は、各接合金具に各カバー部材を取り付ける様子を示す斜視図、図５は、図４における拡大側断面図、図６(a)は、柱用接合金具の正面図、(b)は、(a)における側面図、図７(a)は、梁用接合金具の正面図、(b)は、(a)における側面図、図８(a)は、中間部梁用接合金具の正面図、(b)は、(a)における側面図である。
【００２４】
本実施の形態においては、特に、屋外用デッキ等の床面に立設された柱間に複数の梁が架け渡され、これら複数の梁と柱とが接合されてなる場合について説明する。
【００２５】
まず、柱、梁の構成について説明する。
【００２６】
柱１は、図１(b)に示すように、その長手方向に沿って延在する４つの中空部１a，…を有し、これら４つの中空部１a，…が柱１の幅方向及び厚み方向に等間隔に設けられている。
【００２７】
梁２は、図２に示すように、その長手方向に沿って延在する５つの中空部２a，…を有し、これら５つの中空部２a，…が梁２の高さ方向に等間隔に設けられている。そして、これら中空部１a，…、２a，…を形成するそれぞれのリブによって、柱１や梁２の強度及び剛性が高められている。
【００２８】
また、柱１及び梁２は、セルロース系微粉粒と樹脂とを含む混合材料を混合・溶融して所望形状に成形してなるものである。
【００２９】
具体的に、セルロース系微粉粒は、例えば、住宅等の建物を解体した際に排出される木質廃材、建物建築中に排出される端材、おが屑等の木質廃材を周知の粉砕機により粉砕することによって得られる木粉や、木材、バカス、稲藁等の天然木材を粉砕することによって得られる木粉が挙げられる。
【００３０】
樹脂は、例えば、食品等の包装に用いられた後回収されたトレー、食品コンテナ等の包装部材を周知の粉砕機により粉砕することによって得られる樹脂や、天然木材から得られる樹脂等が挙げられる。すなわち、塩化ビニル樹脂、発泡塩化ビニル樹脂、ポリエチレン樹脂、フェノール樹脂、ウレタン樹脂、ポリウレタン樹脂、ＡＢＳ樹脂、ポリスチレン樹脂等である。
【００３１】
そして、セルロース系微粉粒と樹脂と顔料とを均一分布するように混合して、混合材料としたうえで、この混合材料を押出成形機で加熱溶融させて所要の形状に押出成形することによって、柱１や梁２が製造されている。ここで、押出成形する際に使用される金型は、柱１や梁２の内部にあたる箇所に、複数の中空部１a，…、２a，…と同様の形状が形成されたものを使用する。
【００３２】
また、このようにして得られた柱１や梁２の表面は、例えば、サンディングペーパー等で木目模様（図示しない）を施したり、塗装を施すことによって仕上げられている。
【００３３】
次に、上述の柱１及び梁２が接合されてなる本発明に係る柱梁の接合構造について説明する。
【００３４】
図１に示すように、地盤Ｇ内に所定間隔をあけて平板状の基礎Ｋ，…が構築され、これら基礎Ｋ，…に基礎金物３，…が立設されている。そして、基礎金物３，…には大引き４，…がそれぞれ架設され、大引き４，…の上部に、大引き４の延在方向と直交するように床パネルを並べて敷設することでデッキ上面、つまり床面５が構築されている。さらに、この床面５上に前記柱１，…が立設されており、柱１、１間に、該柱１の上部において互いに平行となるように２つの梁２、２が架け渡され、これら２つの梁２、２と柱１とが接合されている。
【００３５】
具体的には、図２(a)及び図３に示すように、柱１の梁２、２が設けられる側面１bには柱用接合金具１１が取り付けられ、梁２の両端部のうち他の梁２と互いに対向する側面２bには、梁用接合金具２１が取り付けられている。また、図２(b)及び図３に示すように、梁２の中間部における側面のうち他の梁２と互いに対向する側面２cには、中間部梁用接合金具２４が設けられている。
【００３６】
柱用接合金具１１は、図３及び図６に示すように、断面視略コ字型をなした金物であって、柱１の前記側面１bに取り付けられる薄板状の取付部１２と、該取付部１２から垂直に突出し互いに離間して設けられる２つの突出片１３、１３とを備えている。
【００３７】
取付部１２には、柱１の側面１bにネジ止めするための長孔１２aが上下に取付部１２の対角線上に２つ形成されている。また、２つの突出片１３、１３には、後述するビスＢ、Ｂが挿入される孔部１３a、１３aが形成され、さらに、孔部１３a、１３aに挿入されるビスＢ、Ｂを螺合するためのナットＮ、Ｎが予め溶接されている。
【００３８】
梁２の両端部に取り付けられる梁用接合金具２１は、図３及び図７に示すように、断面視略コ字型をなした金物であって、梁２の前記側面２bに取り付けられる薄板状の取付部２２と、該取付部２２から垂直に突出し互いに離間して設けられる２つの突出片２３Ａ、２３Ｂとを備えている。
【００３９】
取付部２２には、梁２の側面２bにネジ止めするための丸孔２２aが上下に取付部２２の対角線上に２つ形成されている。また、２つの突出片２３Ａ、２３Ｂには、後述するビスＢ、Ｂが挿入される孔部２３a、２３aが形成されている。さらに、２つの突出片２３Ａ、２３Ｂのうちの、一方の突出片（図７では上側の突出片）２３Ａは、他方の突出片（図７では下側の突出片）２３Ｂよりも長さが長くなっている。
【００４０】
中間部梁用接合金具２４は、図３及び図８に示すように、断面視略コ字型をなした金物であって、梁用接合金具２１と同様に取付部２５と２つの突出片２６Ａ、２６Ｂとを備えているが、梁用接合金具２１の取付部２２よりもその上下の長さが短くなっている。
【００４１】
取付部２５には、梁２の側面２cにネジ止めするための丸孔２５aが上下に取付部２５の対角線上に２つ形成されている。２つの突出片２６Ａ、２６Ｂには、後述するボルトＢ、Ｂが挿入される孔部２６a、２６aが形成されており、さらに、突出片２６Ｂには、孔部２６aに挿入されるビスＢを螺合するためのナットＮが予め溶接されている。また、２つの突出片２６Ａ、２６Ｂのうちの、一方の突出片（図８では上側の突出片）２６Ａは、他方の突出片（図８では下側の突出片）２６Ｂよりも長さが長くなっている。
【００４２】
このような構成をなした柱用接合金具１１、梁用接合金具２１及び中間部梁用接合金具２４が、それぞれ柱１、梁２の側面１b、２b、２cの所定の位置に取付部１２、２２、２５が配置され、取付部１２、２２、２５の長孔１２a及び丸孔２２a、２５aからネジｎ，…がネジ込まれて固定されている（図２参照）。
【００４３】
そして、柱１、１間に、柱１の上部において互いに平行となるように２つの梁２、２が架け渡された状態で、梁２、２の両端部においては、柱用接合金具１１の突出片１３、１３と２つの梁用接合金具２１、２１の突出片２３Ａ、２３Ａ、２３Ｂ、２３Ｂとが互いに重なり合わされている。
【００４４】
詳細には、一方の梁用接合金具２１の上側の突出片２３Ａ、下側の突出片２３Ｂ、他方の梁用接合金具２１の上側の突出片（他方の突出片）２３Ｂ、下側の突出片（一方の突出片）２３Ａが互い違いになるように重なり合っており、さらに、他方の梁用接合金具２１の上側の突出片２３Ｂと、一方の梁用接合金具２１の下側の突出片２３Ｂとの間に柱用接合金具１１の突出片１３、１３がそれぞれ配置され、これら突出片１３、１３、２３Ａ、２３Ａ、２３Ｂ、２３Ｂが重なり合っている。
【００４５】
また、突出片１３、１３、２３Ａ、２３Ａ、２３Ｂ、２３Ｂが重なり合った状態で、突出片１３、１３に取り付けられたナットＮ、Ｎ内にそれぞれビスＢ、Ｂが挿入されて螺合され、柱１と２つの梁２、２とが固定されている。
【００４６】
一方、梁２、２の中間部においては、一方の梁２に固定された中間部梁用接合金具２４の突出片２６Ａ、２６Ｂと、他方の梁２に固定された中間部梁用接合金具２４の突出片２６Ａ、２６Ｂとが上述のように互い違いに重なり合った状態で、突出片２６Ｂ、２６Ｂに取り付けられたナットＮ、Ｎ内にビスＢ、Ｂが螺合され、互いに平行となる梁２、２どうしが固定されている。
【００４７】
また、柱１と梁２、２の端部との接合において、突出片１３、１３のナットＮ、Ｎに螺合されたビスＢ、Ｂには、図４及び図５に示すように、該ビスＢ、Ｂを覆うための端部カバー部材５が設けられている。
【００４８】
一方、梁２、２の中間部どうしの接合において、突出片２６Ｂ、２６ＢのナットＮ、Ｎに螺合したビスＢ、Ｂには、該ビスＢ、Ｂを覆うための中間部カバー部材６が設けられている。
【００４９】
端部カバー部材５は、図４及び図５に示すように、塩ビ鋼板製で側断面視略コ字型をなしている。すなわち、端部カバー部材５は、柱１の側面１bに向けて各接合金具１１、２１、２１に嵌め込まれるようになっており、柱用接合金具１１の取付部１２に対して平行に配置される薄板５１と、該薄板５１の上下端部に垂直に突出して設けられ、柱用接合金具１１及び梁用接合金具２１、２１を上下から挟み付ける挟持部５２、５２とを備えている。
【００５０】
挟持部５２は、薄板５１に対して垂直に突出する側断面視略Ｌ字型のＬ字部５２１と、このＬ字部５２１の左右側縁部に設けられて内側に傾斜するように折り返される折り返し部５２２、５２２とを備えている。
【００５１】
そして、このような端部カバー部材５が、柱用接合金具１１及び梁用接合金具２１、２１に嵌め込まれることによって、挟持部５２、５２が上下のビスＢ、Ｂの頭部を被覆し、このとき、折り返し部５２２、５２２がビスＢの頭部に係合している。
【００５２】
中間部カバー部材６は、塩ビ鋼板製で側断面視略コ字型をなしている。すなわち、中間部カバー部材６は、固定された２つの中間部梁用接合金具２４、２４の上側から嵌め込まれるようになっており、薄板６１と、該薄板６１に垂直となるように突出して設けられ、２つの梁用接合金具３を左右から挟み付ける挟持部６２、６２とを備えている。
【００５３】
挟持部６２、６２の下端部には、梁用接合金具２１の突出片２３Ａ、２３Ｂに係合する突起部６３、６３が形成されている。
【００５４】
そして、このような中間部カバー部材６が、２つの梁用接合金具２１、２１に嵌め込まれることによって、薄板６１が上側のビスＢの頭部を被覆し、突起部６３、６３が突出片２６Ｂ、２６Ｂにそれぞれ係合している。
【００５５】
以上、本発明の実施の形態の柱梁の接合構造によれば、柱１及び梁２、２にはそれぞれ柱用接合金具１１及び梁用接合金具２１、２１が取り付けられており、柱用接合金具１１の突出部１３、１３に対して梁用接合金具２１、２１の突出部２３Ａ、２３Ａ、２３Ｂ、２３Ｂが重なり合い、これら突出部１３、１３、２３Ａ、２３Ａ、２３Ｂ、２３ＢがビスＢ，…及びナットＮ，…により止着されているので、柱１、１間に互いに平行となるように架け渡された２つの梁２、２を容易かつ強固に固定することができる。
【００５６】
また、梁２、２の中間部においても、互いに対向する梁２、２の側面２c、２cにそれぞれ中間部梁用接合金具２４、２４が取り付けられており、一方の梁用接合金具２４の突出部２６Ａ、２６Ｂと他方の梁用接合金具２４の突出部２６Ａ、２６Ｂとが互いに重なり合い、これら突出部２６Ａ、２６Ａ、２６Ｂ、２６ＢがビスＢ、Ｂ及びナットＮ、Ｎにより止着されているので、互いに平行となる梁２、２どうしを強固かつ容易に固定することができる。しかも、柱１と梁２、２との端部との接合構造及び梁２、２の中間部における接合構造がシンプルとなり、見栄えにも優れる。
【００５７】
さらに、柱用接合金具１１、梁用接合金具２１及び中間部梁用接合金具２４は、取付部１２、２２、２５と複数の突出部１３、１３、２３Ａ、２３Ｂ、２６Ａ、２６Ｂとを備えているので、これら接合金具１１、２１、２４の構造も単純で、施工が容易である。
【００５８】
また、本発明に用いられる柱１及び梁２は、セルロース系微粉粒と樹脂とを混合して押出成形してなるので、柱１及び梁２の表面に木粉があらわれて天然の木材により近い手触りや風合いを出すことができ、木質感のある柱１及び梁２とすることができる。特に、セルロース系微粉粒と樹脂とを、それぞれ木質廃材や樹脂廃材を粉砕して得た場合には、廃材を再利用することから環境保護の面で優れる。
【００５９】
なお、本発明は、上記実施の形態に限定されるものではなく、その要旨を逸脱しない範囲で適宜変更可能である。
【００６０】
例えば、上記実施の形態において、一方の梁用接合金具２１の上側の突出片２３Ａ、下側の突出片２３Ｂ、他方の梁用接合金具２１の上側の突出片２３Ａ、下側の突出片２３Ｂが、互い違いとなるように重なり合っていたが、図９に示すように、一方の梁用接合金具１２１の上側突出片１２３と下側突出片１２３との間に、他方の梁用接合金具１２１Ａの上側の突出片１２３Ａ及び下側の突出片１２３Ａが配置されるように重ね合わせるようにしても良い。この場合、一方の梁用接合金具１２１の上下突出片１２３、１２３が、他方の梁用接合金具１２１Ａの上下突出片１２３Ａ、１２３Ａに比べて長さが長くなっている。なお、図９中、上述した構成と同様のものについては同様の符号を付している。
【００６１】
また、梁用接合金具２１だけでなく中間部梁用接合金具２４の場合も、図９と同様の方法で重ね合わせるようにしても良い（図示しない）。
【００６２】
さらに、本実施の形態において中間部梁用接合金具２４は、梁２の中間部に１つ設けたが、これに限らず、複数所定間隔で設けても良い。
【００６３】
また、本実施の形態において、柱１、１間に互いに平行となる梁２が２本架け渡されていたが、梁２の数は３本以上であっても良く、この場合も同様の接合構造を適用することができる。
【図面の簡単な説明】
【００６４】
【図１】本発明の実施の形態を示すためのもので、(a)は、柱梁の接合構造の側面図、(b)は、(a)における側面図である。
【図２】同、(a)は、柱と梁の端部との接合構造を示した側断面図、(b)は、梁の中間部どうしの接合構造を示した側断面図である。
【図３】同、柱と梁とを接合する様子を示す斜視図である。
【図４】同、各接合金具に各カバー部材を取り付ける様子を示す斜視図である。
【図５】同、図４における拡大側断面図である。
【図６】同、(a)は、柱用接合金具の正面図、(b)は、(a)における側面図である。
【図７】同、(a)は、梁用接合金具の正面図、(b)は、(a)における側面図である。
【図８】同、(a)は、中間部梁用接合金具の正面図、(b)は、(a)における側面図である。
【図９】変形例を示すためのもので、柱と梁の端部との接合構造を示した側断面図である。
【符号の説明】
【００６５】
１  柱
２  梁
１a、２a  中空部
１b  側面
２b、２c  側面
５  端部カバー部材（カバー部材）
６  中間部カバー部材（カバー部材）
１１  柱用接合金具
１２、２２  取付部
１３、２３Ａ、２３Ｂ  突出片（突出部）
２１  梁用接合金具
２４  中間部梁用接合金具（梁用接合金具）
２６Ａ、２６Ｂ  突出片（突出部）
Ｂ  ビス（止着材）
Ｎ  ナット（止着材）
【図１】
2005030120.tif 000003
【図２】
2005030120.tif 000004
【図３】
2005030120.tif 000005
【図４】
2005030120.tif 000006
【図５】
2005030120.tif 000007
【図６】
2005030120.tif 000008
【図７】
2005030120.tif 000009
【図８】
2005030120.tif 000010
【図９】
2005030120.tif 000011